(57)【要約】【課題】データ通信を適切に行う。【解決手段】情報処理装置は、制御部を具備する。制御部は、無線通信を利用してデータを送信する場合に、そのデータの送信先の機器がそのデータをデータリンク層の上位層に渡すか否かをデータリンク層で判定するための判定情報をそのデータに含めて送信する制御を行う。また、制御部は、無線通信を利用してデータを受信した場合に、そのデータに含まれる情報（データリンク層で把握することができる判定情報）に基づいて、そのデータをデータリンク層の上位層に渡すか否かを判定する制御を行う。【選択図】図２
2017038261.tif 000002
【特許請求の範囲】
【請求項１】
無線通信を利用してデータを送信する場合に、前記データの送信先の機器が前記データをデータリンク層の上位層に渡すか否かを前記データリンク層で判定するための判定情報を前記データに含めて送信する制御を行う制御部を具備する情報処理装置。
【請求項２】
前記制御部は、ＬＬＣ／ＳＮＡＰに所定値を指定したフレームに前記判定情報を含めて送信する制御を行う請求項１記載の情報処理装置。
【請求項３】
前記制御部は、前記データが含まれるフレームがＭＡＣフレーム単位で符号化されたデータフレームに、前記データリンク層で誤り訂正を行うための冗長信号を前記判定情報として含めたフレームを付加して送信する制御を行う請求項１記載の情報処理装置。
【請求項４】
前記制御部は、前記冗長信号が含まれることを示す値をＬＬＣ／ＳＮＡＰで指定したフレームに前記冗長信号を含めて送信する制御を行う請求項３記載の情報処理装置。
【請求項５】
前記制御部は、前記冗長信号をアクションフレームに含めて送信する制御を行う請求項３記載の情報処理装置。
【請求項６】
前記制御部は、前記データリンク層で誤り訂正を行う際に用いる情報であって、前記データリンク層で誤り訂正を行うための冗長信号の符号化方式と前記冗長信号の符号化率と前記データリンク層での誤り訂正の対象となる対象フレームを特定するための対象フレーム情報とを含む付随情報を、前記データを送信するためのフレームの前に付加して送信する制御を行う請求項１記載の情報処理装置。
【請求項７】
前記制御部は、前記判定情報および前記付随情報を、前記対象フレームと同じアクセスカテゴリのキューに入れて送信する制御を行う請求項６記載の情報処理装置。
【請求項８】
前記制御部は、前記付随情報が含まれるフレーム、前記対象フレーム、前記判定情報が含まれるフレームの順序で送信する制御を行う請求項６記載の情報処理装置。
【請求項９】
前記制御部は、ＩＥＥＥ８０２．１１規格に従って前記送信先の機器との間で無線通信を行うための制御を行う請求項１記載の情報処理装置。
【請求項１０】
無線通信を利用してデータを受信した場合に、前記データに含まれる情報であってデータリンク層で把握することができる判定情報に基づいて、前記データを前記データリンク層の上位層に渡すか否かを判定する制御を行う制御部を具備する情報処理装置。
【請求項１１】
前記制御部は、受信したフレームにおけるＬＬＣ／ＳＮＡＰで指定されている値に基づいて前記判定情報を取得する請求項１０記載の情報処理装置。
【請求項１２】
前記制御部は、前記判定情報に基づいて、前記データを前記上位層に渡すと判定した場合には、前記データを正しく受信できたことを通知するための確認応答を、前記データを送信した送信元の機器に送信する制御を行う請求項１０記載の情報処理装置。
【請求項１３】
前記制御部は、前記判定情報に基づいて、前記データの消失訂正ができた場合には、前記データを正しく受信できたことを通知するための確認応答を、前記データを送信した送信元の機器に送信する制御を行う請求項１０記載の情報処理装置。
【請求項１４】
無線通信を利用してデータを送信する場合に、前記データの送信先の機器が前記データをデータリンク層の上位層に渡すか否かを前記データリンク層で判定するための判定情報を前記データに含めて送信する制御手順を具備する情報処理方法。
【請求項１５】
無線通信を利用してデータを受信した場合に、前記データに含まれる情報であってデータリンク層で把握することができる判定情報に基づいて、前記データを前記データリンク層の上位層に渡すか否かを判定する制御手順を具備する情報処理方法。
【請求項１６】
無線通信を利用してデータを送信する場合に、前記データの送信先の機器が前記データをデータリンク層の上位層に渡すか否かを前記データリンク層で判定するための判定情報を前記データに含めて送信する制御手順をコンピュータに実行させるプログラム。
【請求項１７】
無線通信を利用してデータを受信した場合に、前記データに含まれる情報であってデータリンク層で把握することができる判定情報に基づいて、前記データを前記データリンク層の上位層に渡すか否かを判定する制御手順をコンピュータに実行させるプログラム。
【発明の詳細な説明】
【技術分野】
【０００１】
本技術は、情報処理装置に関する。詳しくは、無線通信を利用して情報のやりとりを行う情報処理装置および情報処理方法ならびに当該方法をコンピュータに実行させるプログラムに関する。
【背景技術】
【０００２】
近年、放送において高品位な動画像の配信が行われている。また、通信技術の発達に伴い、有線／無線の通信ネットワークにおいても高品位な動画像の配信が行われている。この動画像の配信においては、信頼性と同時にリアルタイム性が重要となる。
【０００３】
例えば、無線ＬＡＮ（Local Area Network）に関する標準規格としてＩＥＥＥ（Institute of Electrical and Electronic Engineers）８０２．１１が存在する。例えば、ＩＥＥＥ８０２．１１では、通信の信頼性向上のために、ドロップしたパケットを回復するための再送要求の仕組みや、物理層（Ｌ１（Layer1））における前方誤り訂正符号の仕組みが存在する（例えば、非特許文献１参照。）。
【０００４】
しかしながら、ＭＡＣ層（Ｌ２（Layer2））では、誤り訂正符号の仕組みは存在しない。したがって、Ｌ１において、パケットの干渉等により発生する符号誤りが訂正されない場合には、ＡＣＫ（確認応答）が返信されないため、そのパケットが再送される。
【０００５】
また、Ｌ３（Layer3）以上の階層では、アプリケーション・レイヤー誤り訂正（AL-FEC）と呼ばれる上位層で誤り訂正機能を提供する技術が提案されている。この技術を用いることにより、上位層で誤りを回復することができる。しかしながら、上位層で誤りを回復することができても、Ｌ２で誤りを回復することができないため、通信相手にＡＣＫを返信することができない。このため、上位層で誤りを回復することができた場合でも、通信相手により再送が行われる。
【０００６】
また、例えば、データの伝送誤り率に基づいて前方誤り訂正能力を決定し、送信するデータに前方誤り訂正能力に応じた前方誤り訂正符号を付与するデータ送受信システムが提案されている（例えば、特許文献１参照。）。
【０００７】
また、例えば、階層化された通信システムにおいて複数の通信層の動作を制御する技術が提案されている（例えば、特許文献２、３参照。）。
【先行技術文献】
【特許文献】
【０００８】
【特許文献１】国際公開第２００９／０７５０９７号
【特許文献２】特表２００７−５１５８３３号公報
【特許文献３】特表２００７−５１５８３２号公報
【非特許文献】
【０００９】
【非特許文献１】IEEE STANDARDS ASSOCIATION，"IEEE Std 802.11-2012"、［online］、［２０１５年１月３０日検索］、インターネット＜URL：http://standards.ieee.org/getieee802/download/802.11-2012.pdf＞
【発明の概要】
【発明が解決しようとする課題】
【００１０】
上述の従来技術では、ＩＥＥＥ８０２．１１規格を採用する場合、Ｌ１で符号誤りが訂正されないときには、ドロップしたパケットを回復するためにはそのパケットを再送する必要がある。しかしながら、例えば、動画像配信のようなアプリケーションにおいて、パケットを再送する場合には、リアルタイム性が損なわれる可能性がある。
【００１１】
また、例えば、Ｌ２で誤り訂正を行うためには、符号化方式やフォーマットを適切に設定し、余計なＬ２再送を回避することが重要である。このように、無線通信を利用して動画像配信のようなデータ通信を行う場合には、余計なＬ２再送を回避して、データ通信を適切に行うことが重要である。
【００１２】
本技術はこのような状況に鑑みて生み出されたものであり、データ通信を適切に行うことを目的とする。
【課題を解決するための手段】
【００１３】
本技術は、上述の問題点を解消するためになされたものであり、その第１の側面は、無線通信を利用してデータを送信する場合に、上記データの送信先の機器が上記データをデータリンク層の上位層に渡すか否かを上記データリンク層で判定するための判定情報を上記データに含めて送信する制御を行う制御部を具備する情報処理装置およびその情報処理方法ならびに当該方法をコンピュータに実行させるプログラムである。これにより、無線通信を利用してデータを送信する場合に、そのデータの送信先の機器がそのデータを上位層に渡すか否かをデータリンク層で判定するための判定情報をそのデータに含めて送信するという作用をもたらす。
【００１４】
また、この第１の側面において、上記制御部は、ＬＬＣ／ＳＮＡＰに所定値を指定したフレームに上記判定情報を含めて送信する制御を行うようにしてもよい。これにより、ＬＬＣ／ＳＮＡＰに所定値を指定したフレームに判定情報を含めて送信するという作用をもたらす。
【００１５】
また、この第１の側面において、上記制御部は、上記データが含まれるフレームがＭＡＣフレーム単位で符号化されたデータフレームに、上記データリンク層で誤り訂正を行うための冗長信号を上記判定情報として含めたフレームを付加して送信する制御を行うようにしてもよい。これにより、データが含まれるフレームがＭＡＣフレーム単位で符号化されたデータフレームに、データリンク層で誤り訂正を行うための冗長信号を含めたフレームを付加して送信するという作用をもたらす。
【００１６】
また、この第１の側面において、上記制御部は、上記冗長信号が含まれることを示す値をＬＬＣ／ＳＮＡＰで指定したフレームに上記冗長信号を含めて送信する制御を行うようにしてもよい。これにより、冗長信号が含まれることを示す値をＬＬＣ／ＳＮＡＰで指定したフレームに冗長信号を含めて送信するという作用をもたらす。
【００１７】
また、この第１の側面において、上記制御部は、上記冗長信号をアクションフレームに含めて送信する制御を行うようにしてもよい。これにより、冗長信号をアクションフレームに含めて送信するという作用をもたらす。
【００１８】
また、この第１の側面において、上記制御部は、上記データリンク層で誤り訂正を行う際に用いる情報であって、上記データリンク層で誤り訂正を行うための冗長信号の符号化方式と上記冗長信号の符号化率と上記データリンク層での誤り訂正の対象となる対象フレームを特定するための対象フレーム情報とを含む付随情報を、上記データを送信するためのフレームの前に付加して送信する制御を行うようにしてもよい。これにより、冗長信号の符号化方式と、冗長信号の符号化率と、対象フレーム情報とを含む付随情報を、データを送信するためのフレームの前に付加して送信するという作用をもたらす。
【００１９】
また、この第１の側面において、上記制御部は、上記判定情報および上記付随情報を、上記対象フレームと同じアクセスカテゴリのキューに入れて送信する制御を行うようにしてもよい。これにより、判定情報および付随情報を、対象フレームと同じアクセスカテゴリのキューに入れて送信するという作用をもたらす。
【００２０】
また、この第１の側面において、上記制御部は、上記付随情報が含まれるフレーム、上記対象フレーム、上記判定情報が含まれるフレームの順序で送信する制御を行うようにしてもよい。これにより、付随情報が含まれるフレーム、対象フレーム、判定情報が含まれるフレームの順序で送信するという作用をもたらす。
【００２１】
また、この第１の側面において、上記制御部は、ＩＥＥＥ８０２．１１規格に従って上記送信先の機器との間で無線通信を行うための制御を行うようにしてもよい。これにより、ＩＥＥＥ８０２．１１規格に従って送信先の機器との間で無線通信を行うという作用をもたらす。
【００２２】
また、本技術の第２の側面は、無線通信を利用してデータを受信した場合に、上記データに含まれる情報であってデータリンク層で把握することができる判定情報に基づいて、上記データを上記データリンク層の上位層に渡すか否かを判定する制御を行う制御部を具備する情報処理装置およびその情報処理方法ならびに当該方法をコンピュータに実行させるプログラムである。これにより、無線通信を利用してデータを受信した場合に、そのデータに含まれる情報（データリンク層で把握することができる判定情報）に基づいて、そのデータを上位層に渡すか否かを判定するという作用をもたらす。
【００２３】
また、この第２の側面において、上記制御部は、受信したフレームにおけるＬＬＣ／ＳＮＡＰで指定されている値に基づいて上記判定情報を取得するようにしてもよい。これにより、受信したフレームにおけるＬＬＣ／ＳＮＡＰで指定されている値に基づいて判定情報を取得するという作用をもたらす。
【００２４】
また、この第２の側面において、上記制御部は、上記判定情報に基づいて、上記データを上記上位層に渡すと判定した場合には、上記データを正しく受信できたことを通知するための確認応答を、上記データを送信した送信元の機器に送信する制御を行うようにしてもよい。これにより、データを上位層に渡すと判定した場合には、データを正しく受信できたことを通知するための確認応答を、データを送信した送信元の機器に送信するという作用をもたらす。
【００２５】
また、この第２の側面において、上記制御部は、上記判定情報に基づいて、上記データの消失訂正ができた場合には、上記データを正しく受信できたことを通知するための確認応答を、上記データを送信した送信元の機器に送信する制御を行うようにしてもよい。これにより、データの消失訂正ができた場合には、データを正しく受信できたことを通知するための確認応答を、データを送信した送信元の機器に送信するという作用をもたらす。
【発明の効果】
【００２６】
本技術によれば、データ通信を適切に行うことができるという優れた効果を奏し得る。なお、ここに記載された効果は必ずしも限定されるものではなく、本開示中に記載されたいずれかの効果であってもよい。
【図面の簡単な説明】
【００２７】
【図１】本技術の実施の形態における通信システム１０の全体構成の一例を示す図である。
【図２】本技術の実施の形態における情報処理装置（親局）１００の機能構成（論理的な構成）例を示すブロック図である。
【図３】本技術の実施の形態における情報処理装置（子局）２００の機能構成（論理的な構成）例を示すブロック図である。
【図４】本技術の実施の形態における情報処理装置（子局）２００の無線通信部２１０の機能構成例を示すブロック図である。
【図５】本技術の実施の形態における情報処理装置（親局）１００の無線通信部１１０の機能構成例を示すブロック図である。
【図６】本技術の実施の形態における各情報処理装置間でやりとりされるＩＥＥＥ８０２．１１フレームの構成例を示す図である。
【図７】本技術の実施の形態における各情報処理装置間でやりとりされるＩＥＥＥ８０２．１１フレームのＬＬＣ／ＳＮＡＰにおけるタイプフィールドの定義例を示す図である。
【図８】本技術の実施の形態における各情報処理装置間でやりとりされるＬ２ＦＥＣ事前情報フレームの構成例を示す図である。
【図９】本技術の実施の形態における各情報処理装置間でやりとりされるＬ２ＦＥＣ事前情報フレームにおけるＬ２ＦＥＣ  Ｃｏｄｉｎｇ  Ｓｃｈｅｍｅ  Ｉｎｄｅｘの定義例を示す図である。
【図１０】本技術の実施の形態における各情報処理装置間でやりとりされるフレームの種類を示す図である。
【図１１】本技術の実施の形態における各情報処理装置間でやりとりされるＡｃｔｉｏｎ  Ｆｒａｍｅのフォーマット例を示す図である。
【図１２】本技術の実施の形態における各情報処理装置間でやりとりされるＡｃｔｉｏｎ  Ｆｒａｍｅのフォーマット例を示す図である。
【図１３】本技術の実施の形態における情報処理装置（子局）２００によるＬ２ＦＥＣ事前情報フレームの生成処理および冗長信号フレームの生成処理を模式的に示す図である。
【図１４】本技術の実施の形態における情報処理装置（子局）２００から送信される各フレームのキューイング方法の一例を模式的に示す図である。
【図１５】本技術の実施の形態における各情報処理装置間でやりとりされるアグリゲーションフレームの構成例を示す図である。
【図１６】本技術の実施の形態における情報処理装置（子局）２００によるＬ２ＦＥＣ事前情報および冗長信号フレームの生成処理の処理手順の一例を示すフローチャートである。
【図１７】本技術の実施の形態における情報処理装置（子局）２００によるフレーム送信処理およびブロックＡＣＫ要求処理の処理手順の一例を示すフローチャートである。
【図１８】本技術の実施の形態における情報処理装置（親局）１００による受信処理の処理手順の一例を示すフローチャートである。
【図１９】本技術の実施の形態における各情報処理装置間でやりとりされるフレームの構成例を示す図である。
【図２０】スマートフォンの概略的な構成の一例を示すブロック図である。
【図２１】カーナビゲーション装置の概略的な構成の一例を示すブロック図である。
【図２２】無線アクセスポイントの概略的な構成の一例を示すブロック図である。
【発明を実施するための形態】
【００２８】
以下、本技術を実施するための形態（以下、実施の形態と称する）について説明する。説明は以下の順序により行う。
１．実施の形態（送信側の機器は、受信側の機器がデータを上位層に渡すか否かをデータリンク層で判定するためのＬ２ＦＥＣをそのデータに含めて送信し、受信側の機器は、そのデータに含まれるＬ２ＦＥＣに基づいて、そのデータを上位層に渡すか否かを判定する例）
２．応用例
【００２９】
＜１．実施の形態＞
［通信システムの構成例］
図１は、本技術の実施の形態における通信システム１０の全体構成の一例を示す図である。通信システム１０は、情報処理装置（親局）１００、情報処理装置（子局）２００、２０１を備える。
【００３０】
情報処理装置（親局）１００、情報処理装置（子局）２００、２０１は、例えば、無線通信機能を備える固定型または携帯型の情報処理装置（無線通信装置）である。ここで、携帯型の情報処理装置は、例えば、スマートフォン、携帯電話、タブレット端末、ウェアラブル端末等の情報処理装置である。また、固定型の情報処理装置は、例えば、アクセスポイント、基地局等の情報処理装置である。
【００３１】
また、情報処理装置（親局）１００、情報処理装置（子局）２００、２０１は、例えば、ＩＥＥＥ（Institute of Electrical and Electronic Engineers）８０２．１１の無線ＬＡＮ（Local Area Network）規格に準拠した通信機能を備えるものとする。この通信機能により実現される通信方式は、例えば、無線ＬＡＮ（Local Area Network）である。この無線ＬＡＮとして、例えば、Ｗｉ−Ｆｉ（Wireless Fidelity）、アドホックネットワーク、メッシュネットワークを用いることができる。
【００３２】
また、情報処理装置（子局）２００および情報処理装置（子局）２０１は、情報処理装置（親局）１００に接続されている。
【００３３】
また、情報処理装置１００は、親局（親機）として機能し、情報処理装置２００、２０１は、子局（子機）として機能するものとする。また、情報処理装置１００は、アクセスポイントとして機能し、情報処理装置２００、２０１は、そのアクセスポイントの配下装置として機能するものとする。なお、本技術の実施の形態で対象となるシステム構成は、これらに限定されない。また、図１では、１つの無線親局と２つの無線子局とにより構成される通信システムの例を示すが、無線親局および無線子局の数については、これらに限定されない。また、本技術の実施の形態における通信方式は、これらに限定されない。例えば、他の通信方式についても、本技術の実施の形態を適用することができる。例えば、複数の機器が１対１で無線通信を行うことにより複数の機器が相互に接続される通信方式に、本技術の実施の形態を適用することができる。
【００３４】
［情報処理装置（親局）の構成例］
図２は、本技術の実施の形態における情報処理装置（親局）１００の機能構成（論理的な構成）例を示すブロック図である。
【００３５】
情報処理装置（親局）１００は、無線通信部１１０と、記憶部１２０と、制御部１３０とを備える。
【００３６】
無線通信部１１０は、情報処理装置（親局）１００による他の情報処理装置との無線通信を仲介する無線通信インタフェースである。例えば、無線通信部１１０は、制御部１３０からの指示に基づいて、他の情報処理装置との間で無線通信を行う。
【００３７】
記憶部１２０は、各種情報を記憶するものであり、記憶されている情報を制御部１３０に供給する。例えば、記憶部１２０は、制御部１３０により設定されるＬ２  ＦＥＣ（Forward Error Correction）の設定に関する情報を記憶する。ここで、Ｌ２ＦＥＣの設定は、例えば、誤り訂正符号の符号化方式および符号化レート（例えば、図９に示す）、ＡＣＫ（ACKnowledgement：肯定応答）／ＮＡＣＫ（Negative ACKnowledgement：否定応答）の結果等の設定である。
【００３８】
制御部１３０は、記憶部１２０に記憶されている制御プログラムに基づいて、情報処理装置（親局）１００の各部を制御するものである。例えば、制御部１３０は、ＩＥＥＥ８０２．１１規格に従って、送信先の機器との間で無線通信を行うための制御を行う。
【００３９】
また、例えば、制御部１３０は、無線通信を利用してデータを送信する場合に、そのデータの送信先の機器がそのデータをデータリンク層（第２層）の上位層に渡すか否かをデータリンク層で判定するための判定情報を、そのデータに含めて送信する制御を行う。ここで、判定情報は、例えば、Ｌ２ＦＥＣ（例えば、図１３のｄに示すＬ２ＦＥＣ事前情報４３１、冗長信号４２１）である。
【００４０】
また、例えば、制御部１３０は、ＬＬＣ／ＳＮＡＰ（例えば、図６のｂに示すＬＬＣ／ＳＮＡＰ５３０）に所定値（例えば、図７に示すＰａｙｌｏａｄ  ｔｙｐｅ５４２）を指定したフレームに、判定情報を含めて送信する制御を行う。
【００４１】
また、例えば、制御部１３０は、無線通信を利用してデータを受信した場合に、そのデータに含まれる情報（データリンク層で把握することができる判定情報）に基づいて、そのデータをデータリンク層の上位層に渡すか否かを判定する制御を行う。この場合に、制御部１３０は、受信したフレームにおけるＬＬＣ／ＳＮＡＰで指定されている値に基づいて、判定情報を取得することができる。
【００４２】
また、例えば、制御部１３０は、情報処理装置（親局）１００におけるＬ２ＦＥＣ（例えば、図１３のｄに示すＬ２ＦＥＣ事前情報４３１、冗長信号４２１）の運用を制御する機能を有する。例えば、制御部１３０は、記憶部１２０に記憶されている情報（例えば、過去のＬ２ＦＥＣの設定に関する情報）に基づいて、適切なＬ２ＦＥＣの設定を選択し、無線通信部２１０に対して設定する。例えば、符号化率（図９に示すＣｏｄｉｎｇ  Ｒａｔｅ５６３）を３／４に設定したときに再送率が高くなった場合を想定する。このような場合には、制御部１３０は、過去のＬ２ＦＥＣの設定に関する情報（符号化率３／４で再送率が高くなった）に基づいて、符号化率を低く設定（例えば、符号化率２／３を設定）することができる。
【００４３】
［情報処理装置（子局）の構成例］
図３は、本技術の実施の形態における情報処理装置（子局）２００の機能構成（論理的な構成）例を示すブロック図である。なお、情報処理装置（子局）２０１の機能構成（無線通信に関する機能構成）については、情報処理装置（子局）２００と略同様であるため、ここでの説明を省略する。
【００４４】
情報処理装置（子局）２００は、無線通信部２１０と、記憶部２２０と、制御部２３０とを備える。なお、これらは、図２に示す同一名称の各部に対応する。このため、これらについての詳細な説明を省略する。
【００４５】
［無線通信部の機能構成例］
次に、無線通信部の機能構成例について送信側（送信部）および受信側（受信部）に分けて説明する。図４では、無線通信部の送信側（送信部）の機能構成例として、情報処理装置（子局）２００の無線通信部２１０を例にして説明する。また、図５では、無線通信部の受信側（受信部）の機能構成例として、情報処理装置（親局）１００の無線通信部１１０を例にして説明する。なお、図４、図５では、各情報処理装置の無線通信部を送信側（送信部）および受信側（受信部）に分けて説明するが、各情報処理装置の無線通信部は、送信側（送信部）および受信側（受信部）の双方の機能を備えるものとする。
【００４６】
［送信部の機能構成例］
図４は、本技術の実施の形態における情報処理装置（子局）２００の無線通信部２１０の機能構成例を示すブロック図である。
【００４７】
無線通信部２１０は、上位層からデータ（例えば、ＴＣＰ／ＩＰ（Transmission Control Protocol/Internet Protocol）パケット）を受け付けると、そのデータについて送信処理を行うものである。また、無線通信部２１０は、そのデータについてＬ２フレームを生成する際に、Ｌ２ＦＥＣ事前情報フレーム（図８、図１３のｄに示す）および冗長信号フレーム（図１３のｄに示す）を生成する。
【００４８】
無線通信部２１０は、送信処理を行うための機能構成として、Ｌ２データフレーム生成部２４１と、Ｌ２データフレームバッファ２４２と、Ｌ２符号化＆Ｌ２冗長信号フレーム生成部２４３と、Ｌ２ＦＥＣ事前情報テーブル生成＆Ｌ２ＦＥＣ事前情報フレーム生成部２４４と、Ｌ１フレーム（ＰＰＤＵ（PLCP（Physical Layer Convergence Protocol） Protocol Data Unit）生成部２４５と、Ｌ１符号化部２４６と、インターリーブ部２４７と、マッピング部２４８と、ＯＦＤＭ（Orthogonal Frequency Division Multiplexing）変調部（ＩＦＦＴ（Inverse Fast Fourier Transform））２４９と、ガードインターバル挿入部２５０と、ＤＡ（Digital to Analog）変換ＲＦ（Radio Frequency）送信機２５１と、アンテナ２５２とを備える。
【００４９】
Ｌ２データフレーム生成部２４１は、上位層から受け付けたデータについて、ＭＡＣ（Media Access Control）ヘッダ等を付加してＭＡＣフレームを生成するものである。
【００５０】
Ｌ２データフレームバッファ２４２は、Ｌ２データフレーム生成部２４１により生成されたＭＡＣフレームを一時的に保持する未処理ＭＡＣフレーム・バッファである。そして、Ｌ２データフレームバッファ２４２は、保持されているＭＡＣフレームを、Ｌ２符号化＆Ｌ２冗長信号フレーム生成部２４３またはＬ１フレーム（ＰＰＤＵ）生成部２４５に供給する。
【００５１】
Ｌ２符号化＆Ｌ２冗長信号フレーム生成部２４３は、Ｌ２データフレーム生成部２４１により生成されたＭＡＣフレームについて、符号化処理および冗長信号を付加する処理を行うものである。すなわち、Ｌ２符号化＆Ｌ２冗長信号フレーム生成部２４３は、Ｌ２データフレーム生成部２４１により生成されたＭＡＣフレームについて、Ｌ２符号化処理を行い、Ｌ２冗長信号フレーム（図１３のｄに示す）を生成する。
【００５２】
Ｌ２ＦＥＣ事前情報テーブル生成＆Ｌ２ＦＥＣ事前情報フレーム生成部２４４は、Ｌ２ＦＥＣ事前情報テーブル（図８の下段に示す）を生成し、Ｌ２ＦＥＣ事前情報フレーム（図８の上段に示す）を生成するものである。
【００５３】
Ｌ１フレーム（ＰＰＤＵ）生成部２４５は、各部により生成されたフレームについて、ＰＨＹフレームを生成するものである。例えば、Ｌ１フレーム（ＰＰＤＵ）生成部２４５は、Ｌ２データフレーム生成部２４１により生成されたＭＡＣフレームと、Ｌ２符号化＆Ｌ２冗長信号フレーム生成部２４３により生成されたＬ２冗長信号フレームと、Ｌ２ＦＥＣ事前情報テーブル生成＆Ｌ２ＦＥＣ事前情報フレーム生成部２４４により生成されたＬ２ＦＥＣ事前情報フレームとについて、ＰＨＹフレームを生成する。
【００５４】
Ｌ１符号化部２４６は、Ｌ１フレーム（ＰＰＤＵ）生成部２４５により生成されたＰＨＹフレームについて、誤り訂正符号化処理を行うものである。誤り訂正符号化処理として、例えば、ＬＤＰＣ（Low Density Parity Check）符号化処理、畳み込み符号化処理が行われる。
【００５５】
インターリーブ部２４７は、誤りが分散するように、データの並び替えを行うものである。
【００５６】
マッピング部２４８は、各データを変調し、いくつかのビットをまとめるものである。例えば、マッピング部２４８は、送信信号のビットストリームを複素平面にマッピングする。
【００５７】
ＯＦＤＭ変調部（ＩＦＦＴ）２４９は、ＩＦＦＴ（逆フーリエ変換）で変調するものである。
【００５８】
ガードインターバル挿入部２５０は、ガードインターバルを挿入するものである。
【００５９】
ＤＡ変換ＲＦ送信機２５１は、送信信号についてＤＡ変換を行うことにより、アナログ信号を生成し、そのアナログ信号をアンテナ２５２から送信するものである。
【００６０】
［受信部の機能構成例］
図５は、本技術の実施の形態における情報処理装置（親局）１００の無線通信部１１０の機能構成例を示すブロック図である。
【００６１】
無線通信部１１０は、受信処理を行うための機能構成として、アンテナ１４１と、ＲＦ受信機ＡＤ（Analog to Digital）変換部１４２と、ガードインターバル除去部１４３と、ＯＦＤＭ復調部（ＦＦＴ（Fast Fourier Transform））１４４と、デマッピング部１４５と、デインターリーブ部１４６と、Ｌ１復号化部１４７と、Ｌ１フレーム（ＰＰＤＵ）分解部１４８と、Ｌ２データフレームバッファ１４９と、Ｌ２ＦＥＣ事前情報フレーム分解部１５０と、Ｌ２  ＥＣＣ（Error Check and Correct）フレーム分解＆Ｌ２復号化部１５１と、Ｌ２データフレーム分解部１５２とを備える。そして、無線通信部１１０は、これらの受信処理を行ったデータ（例えば、ＴＣＰ／ＩＰパケット）を上位層に引き渡す。
【００６２】
アンテナ１４１、ＲＦ受信機ＡＤ変換部１４２、ガードインターバル除去部１４３、ＯＦＤＭ復調部（ＦＦＴ）１４４、デマッピング部１４５、デインターリーブ部１４６、Ｌ１復号化部１４７、Ｌ１フレーム（ＰＰＤＵ）分解部１４８およびＬ２データフレーム分解部１５２は、図４に示すアンテナ２５２、ＤＡ変換ＲＦ送信機２５１、ガードインターバル挿入部２５０、ＯＦＤＭ変調部（ＩＦＦＴ）２４９、マッピング部２４８、インターリーブ部２４７、Ｌ１符号化部２４６、Ｌ１フレーム（ＰＰＤＵ）生成部２４５およびＬ２データフレーム生成部２４１の逆の処理を行う。
【００６３】
また、Ｌ２データフレームバッファ１４９は、図４に示すＬ２データフレームバッファ２４２に対応する。
【００６４】
Ｌ２ＦＥＣ事前情報フレーム分解部１５０は、Ｌ２データフレームバッファ１４９に保持されているフレームのうち、Ｌ２ＦＥＣ事前情報フレームを分解するものである。
【００６５】
Ｌ２  ＥＣＣフレーム分解＆Ｌ２復号化部１５１は、Ｌ２冗長信号フレームを分解し、Ｌ２復号化処理を行うものである。
【００６６】
［ＩＥＥＥ８０２．１１フレームの構成例］
図６は、本技術の実施の形態における各情報処理装置間でやりとりされるＩＥＥＥ８０２．１１フレームの構成例を示す図である。
【００６７】
図６のａには、ＩＥＥＥ８０２．１１フレームの構成例を示す。具体的には、ＩＥＥＥ８０２．１１フレームは、物理ヘッダ５００およびＰＳＤＵ（PLCP Service. Data Unit）（ＭＡＣフレーム）５１０を含む。また、物理ヘッダ５００は、ＰＬＣＰプリアンブル５０１およびＰＬＣＰヘッダ５０２を含む。
【００６８】
図６のｂには、図６のａに示すＰＳＤＵ（ＭＡＣフレーム）５１０の構成例を示す。具体的には、ＰＳＤＵ（ＭＡＣフレーム）５１０は、ＩＥＥＥ８０２．１１ＭＡＣヘッダ５２０と、ＬＬＣ（Logical Link Control）／ＳＮＡＰ（Subnetwork Access Protocol）５３０と、データ５１１と、ＦＣＳ５１２とを含む。
【００６９】
ＩＥＥＥ８０２．１１ＭＡＣヘッダ５２０は、フレーム制御５２１と、デュレーション／ＩＤ５２２と、アドレス１  ５２３と、アドレス２  ５２４と、アドレス３  ５２５と、シーケンス制御５２６と、アドレス４  ５２７とを含む。
【００７０】
また、図６のｂに示すように、ＬＬＣ／ＳＮＡＰ５３０は、ＩＥＥＥ８０２．１１ＭＡＣヘッダ５２０およびデータ５１１の間に配置される情報であり、Ｌ３、Ｌ２のマッピングの区別のための情報である。すなわち、ＬＬＣ／ＳＮＡＰ５３０は、データリンク層（第２層）で把握することができる情報である。
【００７１】
図６のｃには、図６のｂに示すＬＬＣ／ＳＮＡＰ５３０の構成例を示す。
【００７２】
ＬＬＣ／ＳＮＡＰ５３０は、ＤＳＡＰ（Destination Service Access Point）５３１と、ＳＳＡＰ（Source Service Access Point）５３２と、制御５３３と、ＯＵＩ（Organizationally Unique Identifier）５３４と、タイプ５３５とを含む。
【００７３】
ＤＳＡＰ５３１には、ＡＡという値が格納される。
【００７４】
ＳＳＡＰ５３２には、ＡＡという値が格納される。
【００７５】
制御５３３には、０３という値が格納される。
【００７６】
ＯＵＩ５３４には、００００００、または、００００Ｆ８が格納される。例えば、ＩＰの場合には、００００００が格納される。
【００７７】
タイプ５３５は、データ部のプロトコル種別を示す情報である。タイプ５３５は、イーサネット（登録商標）と同じであり、ＩＰの場合には、０８００が格納される。また、タイプ５３５の定義については、図７を参照して詳細に説明する。
【００７８】
［ＬＬＣ／ＳＮＡＰにおけるタイプフィールドの定義例］
図７は、本技術の実施の形態における各情報処理装置間でやりとりされるＩＥＥＥ８０２．１１フレームのＬＬＣ／ＳＮＡＰにおけるタイプフィールドの定義例を示す図である。
【００７９】
図７には、Ｐｒｏｔｏｃｏｌ  ｎａｍｅ５４１と、Ｐａｙｌｏａｄ  ｔｙｐｅ５４２と、Ｓｕｂｃｌａｕｓｅ５４３との関係を示す。図７では、Ｐａｙｌｏａｄ  ｔｙｐｅ５４２の「３」、「４」を新規に定義する例を示す。
【００８０】
Ｐｒｏｔｏｃｏｌ  ｎａｍｅ５４１「Ｌ２ＦＥＣ  Ｐｒｅ−ｉｎｆｏｒｍａｔｉｏｎ」は、図８に示すフレーム（Ｌ２ＦＥＣ事前情報フレーム）を意味する。これに対応するＰａｙｌｏａｄ  ｔｙｐｅ５４２「３」は、図８に示すＬ２ＦＥＣ事前情報フレームであることを示す値である。
【００８１】
Ｐｒｏｔｏｃｏｌ  ｎａｍｅ５４１「Ｌ２ＦＥＣ  Ｒｅｄｕｎｄａｎｃｙ  Ｃｏｄｅ」は、図１３のｄに示すＬ２ＦＥＣ冗長信号フレーム（ＭＡＣヘッダ４２２、冗長信号４２１）を意味する。これに対応するＰａｙｌｏａｄ  ｔｙｐｅ５４２「４」は、図１３のｄに示すＬ２ＦＥＣ冗長信号フレームであることを示す値である。
【００８２】
［Ｌ２ＦＥＣ事前情報フレームの構成例］
図８は、本技術の実施の形態における各情報処理装置間でやりとりされるＬ２ＦＥＣ事前情報フレームの構成例を示す図である。
【００８３】
図８に示すＬ２ＦＥＣ事前情報フレームは、図６のｂに示すＰＳＤＵ（ＭＡＣフレーム）に対応する。すなわち、図６のｂに示すＰＳＤＵ（ＭＡＣフレーム）におけるＬＬＣ／ＳＮＡＰ５３０のｔｙｐｅが３（図７に示すＰａｙｌｏａｄ  ｔｙｐｅ５４２「３」）の場合の例を示す。
【００８４】
また、図８に示すＬ２  ＦＥＣ  Ｐｒｅ  Ｉｎｆｏ  Ｔａｂｌｅ５５０は、図６のｂに示すデータ５１１に対応する。すなわち、図８に示すＬ２  ＦＥＣ  Ｐｒｅ  Ｉｎｆｏ  Ｔａｂｌｅ５５０により、Ｌ２ＦＥＣ事前情報フレームテーブルが構成される。なお、図８の下段では、Ｌ２ＦＥＣ事前情報フレームテーブルを構成する各フィールドのサイズを、各フィールドの上側に数値（８ｂｉｔ、１６ｂｉｔ）で示す。
【００８５】
Ｌ２ＦＥＣ事前情報フレームテーブルは、Ｓｅｑｕｅｎｃｅ  Ｎｕｍｂｅｒ  ｏｆ  １ｓｔ  ＭＡＣ  Ｆｒａｍｅ５５１と、Ｎｕｍｂｅｒ  ｏｆ  ＭＡＣ  Ｆｒａｍｅｓ５５２と、Ｌ２ＦＥＣ  Ｃｏｄｉｎｇ  Ｓｃｈｅｍｅ  Ｉｎｄｅｘ５５３と、Ｌｅｎｇｔｈ  ｏｆ  Ｃｏｄｅ  Ｗｏｒｄ５５４とを含む。
【００８６】
Ｓｅｑｕｅｎｃｅ  Ｎｕｍｂｅｒ  ｏｆ  １ｓｔ  ＭＡＣ  Ｆｒａｍｅ５５１には、誤り訂正の対象となるＭＡＣフレームのうち最初のＭＡＣフレームのシーケンス番号（Ｓｅｑ  Ｎｏ．）が格納される。
【００８７】
Ｎｕｍｂｅｒ  ｏｆ  ＭＡＣ  Ｆｒａｍｅｓ５５２には、誤り訂正の対象となるＭＡＣフレームの個数（または、ビットマップ）が格納される。
【００８８】
Ｌ２ＦＥＣ  Ｃｏｄｉｎｇ  Ｓｃｈｅｍｅ  Ｉｎｄｅｘ５５３は、誤り訂正符号の符号化方式および符号化率を示すインデックスである。このインデックスについては、図９を参照して詳細に説明する。
【００８９】
Ｌｅｎｇｔｈ  ｏｆ  Ｃｏｄｅ  Ｗｏｒｄ５５４は、符号語の語長（バイト）である。
【００９０】
［Ｌ２ＦＥＣ  Ｃｏｄｉｎｇ  Ｓｃｈｅｍｅ  Ｉｎｄｅｘの定義例］
図９は、本技術の実施の形態における各情報処理装置間でやりとりされるＬ２ＦＥＣ事前情報フレームにおけるＬ２ＦＥＣ  Ｃｏｄｉｎｇ  Ｓｃｈｅｍｅ  Ｉｎｄｅｘの定義例を示す図である。
【００９１】
図９には、Ｌ２ＦＥＣ  ＣＳ（Coding Scheme）  Ｉｎｄｅｘ５６１と、Ｃｏｄｉｎｇ  Ｍｅｔｈｏｄ５６２と、Ｃｏｄｉｎｇ  Ｒａｔｅ５６３との関係を示す。
【００９２】
Ｌ２ＦＥＣ  ＣＳ  Ｉｎｄｅｘ５６１は、誤り訂正符号の符号化方式および符号化率を特定するための値である。
【００９３】
Ｃｏｄｉｎｇ  Ｍｅｔｈｏｄ５６２は、誤り訂正符号の符号化方式である。ここで、図９では、誤り訂正符号の符号化方式として、Ｒｅｅｄ−Ｓｏｌｏｍｏｎ、ＢＣＨ（Bose Chaudhuri Hocquenghem）を用いる例を示す。ただし、誤り訂正符号の符号化方式として、他の符号化方式を用いるようにしてもよい。例えば、ＸＯＲ、Ｒａｐｔｏｒを用いることができる。
【００９４】
Ｃｏｄｉｎｇ  Ｒａｔｅ５６３は、誤り訂正符号の符号化率（符号化レート）である。
【００９５】
［Ｌ２ＦＥＣ事前情報および冗長信号を送信するフレーム例］
図１０は、本技術の実施の形態における各情報処理装置間でやりとりされるフレームの種類を示す図である。
【００９６】
図１０では、Ｔｙｐｅ  ｖａｌｕｅ５７１と、Ｔｙｐｅ  ｄｅｓｃｒｉｐｔｉｏｎ５７２と、Ｓｕｂｔｙｐｅ  ｖａｌｕｅ５７３と、Ｓｕｂｔｙｐｅ  ｄｅｓｃｒｉｐｔｉｏｎ５７４との関係例を示す。
【００９７】
太線の矩形５７５で示すように、Ｌ２ＦＥＣ事前情報および冗長信号をＡｃｔｉｏｎ  Ｆｒａｍｅで送信する場合には、「ＱｏＳ  ｍａｎａｇｅｍｅｎｔ  ｆｒａｍｅ（ＱＭＦ）ｓｅｒｖｉｃｅ」（ＩＥＥＥ８０２．１１ａｅスペック参照）として送信する。また、Ｌ２ＦＥＣ事前情報および冗長信号をＡｃｔｉｏｎ  Ｆｒａｍｅで送信する場合のフォーマット例を図１１および図１２に示す。
【００９８】
ここで、通常では、ｍａｎａｇｅｍｅｎｔ  ｆｒａｍｅは、ＡＣ＿ＶＯで送信される。ただし、Ｌ２ＦＥＣ事前情報および冗長信号をＡｃｔｉｏｎ  Ｆｒａｍｅで送信する場合には、データフレームと同じＥＤＣＡ（Enhanced Distributed Channel Access）アクセスカテゴリで送信する。
【００９９】
また、太線の矩形５７６で示すように、Ｌ２ＦＥＣ事前情報および冗長信号をＤａｔａ  Ｆｒａｍｅで送信する場合には、「ＱｏＳ  Ｄａｔａ」として送信する。ここで、Ｌ２ＦＥＣ事前情報および冗長信号をＤａｔａ  Ｆｒａｍｅで送信する場合には、データフレームと同じＥＤＣＡアクセスカテゴリで送信する。
【０１００】
［Ｌ２ＦＥＣ事前情報および冗長信号をＡｃｔｉｏｎ  Ｆｒａｍｅで送信する場合のフォーマット例］
図１１および図１２は、本技術の実施の形態における各情報処理装置間でやりとりされるＡｃｔｉｏｎ  Ｆｒａｍｅのフォーマット例を示す図である。
【０１０１】
図１１のａには、Ｌ２ＦＥＣ事前情報をＡｃｔｉｏｎ  Ｆｒａｍｅで送信する場合のフォーマット例を示す。Ｏｒｄｅｒ「３」乃至「６」の各情報は、図８の下段に示す同一名称の各情報（Ｓｅｑｕｅｎｃｅ  Ｎｕｍｂｅｒ  ｏｆ  １ｓｔ  ＭＡＣ  Ｆｒａｍｅ５５１、Ｎｕｍｂｅｒ  ｏｆ  ＭＡＣ  Ｆｒａｍｅｓ５５２、Ｌ２ＦＥＣ  Ｃｏｄｉｎｇ  Ｓｃｈｅｍｅ  Ｉｎｄｅｘ５５３、Ｌｅｎｇｔｈ  ｏｆ  Ｃｏｄｅ  Ｗｏｒｄ５５４）に対応する。
【０１０２】
図１１のｂには、冗長信号をＡｃｔｉｏｎ  Ｆｒａｍｅで送信する場合のフォーマット例を示す。Ｏｒｄｅｒ「３」のＲｅｄｕｎｄａｎｃｙ  Ｃｏｄｅは、冗長信号を示す。
【０１０３】
図１２のａには、Ａｃｔｉｏｎ  ｆｉｅｌｄの種類を示す。
【０１０４】
図１２のｂには、Ｃａｔｅｇｏｒｙ  Ｖａｌｕｅｓを示す。本技術の実施の形態では、新規の値「Ｘ」を定義するものとする。
【０１０５】
図１２のｃには、Ｌ２ＦＥＣ  Ａｃｔｉｏｎ  ｆｉｅｌｄ  ｖａｌｕｅｓを示す。すなわち、ｖａｌｕｅが「０」の場合には、図１１のａに示すＬ２ＦＥＣ事前情報フレーム（Ａｃｔｉｏｎ  Ｆｒａｍｅ）であることを示す。また、ｖａｌｕｅｓが「１」の場合には、図１１のｂに示す冗長信号フレーム（Ａｃｔｉｏｎ  Ｆｒａｍｅ）であることを示す。
【０１０６】
［Ｌ２ＦＥＣ事前情報フレームおよび冗長信号フレームの生成例］
図１３は、本技術の実施の形態における情報処理装置（子局）２００によるＬ２ＦＥＣ事前情報フレームの生成処理および冗長信号フレームの生成処理を模式的に示す図である。
【０１０７】
図１３では、符号化率を３／４とする場合の例を示す。すなわち、図１３では、情報データ３シンボルに対し、冗長信号を１シンボル付加する場合の例を示す。また、図１３では、１つのＬ２（ＭＡＣ）フレームを１シンボルとして処理する例を示す。すなわち、図１３では、３個のＭＡＣフレームに対して、１個の冗長信号フレームを生成する例を示す。
【０１０８】
図１３のａに示すように、Ｌ２データフレーム生成部２４１は、Ｌ３以上の上位層から受け取ったデータを、従来の方式に従って、ＬＬＣヘッダ、ＭＡＣヘッダ、および、ＦＣＳを付加して、ＭＡＣフレーム１（４０１）乃至３（４０３）としてカプセル化する。なお、アクセスカテゴリについては、図１４を参照して詳細に説明する。
【０１０９】
また、Ｌ２データフレーム生成部２４１は、生成されたＭＡＣフレーム１（４０１）乃至３（４０３）が、Ｌ２ＦＥＣ付加の対象である場合、そのＭＡＣフレームをＬ２データフレームバッファ２４２に格納する。ここで、制御部１３０から指示されたアクセスカテゴリ、および、宛先（送信先）と一致する場合に、生成されたＭＡＣフレームがＬ２ＦＥＣ付加の対象であると判断することができる。
【０１１０】
例えば、アクセスカテゴリがＡＣ＿ＶＯ（Voice）またはＡＣ＿ＶＩ（Video）であり、かつ、機器Ａを宛先とするＭＡＣフレームをＬ２ＦＥＣ付加の対象とする指示が制御部１３０により出力された場合を想定する。この場合には、アクセスカテゴリがＡＣ＿ＶＯまたはＡＣ＿ＶＩであり、かつ、機器Ａを宛先とするＭＡＣフレームについては、Ｌ２ＦＥＣ付加の対象であると判断される。一方、アクセスカテゴリがＡＣ＿ＢＥ（Best Effort）またはＡＣ＿ＢＫ（Back Ground）であるＭＡＣフレームについては、宛先にかかわらず、Ｌ２ＦＥＣ付加の対象でないと判断される。また、アクセスカテゴリがＡＣ＿ＶＯまたはＡＣ＿ＶＩであるが、機器Ａ以外の機器を宛先とするＭＡＣフレームについては、Ｌ２ＦＥＣ付加の対象でないと判断される。
【０１１１】
また、ＭＡＣフレームがＬ２ＦＥＣ付加対象外の場合には、Ｌ２データフレーム生成部２４１は、生成されたＭＡＣフレームを、そのまま、Ｌ１フレーム（ＰＰＤＵ）生成部２４５に渡す。
【０１１２】
Ｌ２データフレームバッファ２４２に３個のＭＡＣフレームが溜まると、図１３のｂに示すように、Ｌ２符号化＆Ｌ２冗長信号フレーム生成部２４３は、Ｌ２データフレームバッファ２４２から３個のＭＡＣフレームを取り出す。そして、Ｌ２符号化＆Ｌ２冗長信号フレーム生成部２４３は、３個のＭＡＣフレームの各シンボルの長さ（固定長）に合わせてパディングを行う。すなわち、Ｌ２符号化＆Ｌ２冗長信号フレーム生成部２４３は、ＭＡＣフレーム１（４０１）乃至３（４０３）が所定のシンボル長になるように、ＭＡＣフレーム１（４０１）乃至３（４０３）についてパディングを行う。図１３のｂに示すＭＡＣフレーム１（４０１）乃至３（４０３）のパディング領域をパディング４１１乃至４１３で示す。
【０１１３】
続いて、図１３のｃに示すように、Ｌ２符号化＆Ｌ２冗長信号フレーム生成部２４３は、パディングされた３つのＭＡＣフレームに基づいて、制御部１３０により指示された符号化方式に従って、冗長信号（検査符号）４２１を生成する。
【０１１４】
また、図１３のｃに示すように、Ｌ２ＦＥＣ事前情報テーブル生成＆Ｌ２ＦＥＣ事前情報フレーム生成部２４４は、Ｌ２ＦＥＣ事前情報テーブル（Ｌ２ＦＥＣ事前情報４３１）を生成する。例えば、Ｌ２ＦＥＣ事前情報テーブル生成＆Ｌ２ＦＥＣ事前情報フレーム生成部２４４は、図８の下段に示す各情報により構成されるＬ２ＦＥＣ事前情報テーブルを生成する。この場合に、Ｌ２ＦＥＣ事前情報テーブル生成＆Ｌ２ＦＥＣ事前情報フレーム生成部２４４は、Ｌ２ＦＥＣ事前情報の符号化方式および符号化レートを、インデックス番号（図９に示すＬ２ＦＥＣ  ＣＳ  Ｉｎｄｅｘ５６１）を用いて指定することができる。
【０１１５】
続いて、図１３のｄに示すように、Ｌ２符号化＆Ｌ２冗長信号フレーム生成部２４３は、生成された冗長信号４２１に、ＭＡＣヘッダ４２２、ＬＬＣ／ＳＮＡＰおよびＦＣＳを付加して、ＭＡＣフレームを生成する。なお、図１３のｄでは、ＬＬＣ／ＳＮＡＰおよびＦＣＳを省略して示す。また、ＭＡＣフレームを生成する際に、Ｌ２符号化＆Ｌ２冗長信号フレーム生成部２４３は、ＬＬＣ／ＳＮＡＰのタイプフィールド（図６のｃに示すタイプ５３５）に、Ｌ２ＦＥＣ冗長信号であることを示す値（図７に示すＰａｙｌｏａｄ  ｔｙｐｅ５４２「４」）を設定する。
【０１１６】
このように、Ｌ２符号化＆Ｌ２冗長信号フレーム生成部２４３は、Ｌ２冗長信号フレームを生成する。
【０１１７】
また、図１３のｄに示すように、Ｌ２ＦＥＣ事前情報テーブル生成＆Ｌ２ＦＥＣ事前情報フレーム生成部２４４は、生成されたＬ２ＦＥＣ事前情報４３１に、ＭＡＣヘッダ４３２、ＬＬＣ／ＳＮＡＰおよびＦＣＳを付加して、ＭＡＣフレームを生成する。なお、図１３のｄでは、ＬＬＣ／ＳＮＡＰおよびＦＣＳを省略して示す。また、ＭＡＣフレームを生成する際に、Ｌ２ＦＥＣ事前情報テーブル生成＆Ｌ２ＦＥＣ事前情報フレーム生成部２４４は、ＬＬＣ／ＳＮＡＰのタイプフィールド（図６のｃに示すタイプ５３５）に、Ｌ２ＦＥＣ事前情報であることを示す値（図７に示すＰａｙｌｏａｄ  ｔｙｐｅ５４２「３」）を設定する。
【０１１８】
このように、Ｌ２ＦＥＣ事前情報テーブル生成＆Ｌ２ＦＥＣ事前情報フレーム生成部２４４は、Ｌ２ＦＥＣ事前情報フレームを生成する。このように生成されるＬ２ＦＥＣ事前情報フレームの構成例を図８に示す。
【０１１９】
このように生成された各フレームが順にキューに格納される。具体的には、図１３のｄに示すＬ２ＦＥＣ事前情報フレーム（ＭＡＣヘッダ４３２およびＬ２ＦＥＣ事前情報４３１）から順にキューに格納される。この例を図１４に示す。
【０１２０】
また、Ｌ２ＦＥＣ事前情報フレーム、データフレームおよび冗長信号フレームを送信した情報処理装置（子局）２００は、続けてブロックＡＣＫリクエストを送信する。
【０１２１】
このように、情報処理装置（子局）２００の制御部２３０は、データが含まれるフレームがＭＡＣフレーム単位で符号化されたデータフレームに、データリンク層で誤り訂正を行うための冗長信号を含めたフレームを付加して送信する制御を行う。また、情報処理装置（子局）２００の制御部２３０は、冗長信号が含まれることを示す値をＬＬＣ／ＳＮＡＰで指定したフレームに、冗長信号を含めて送信する制御を行う。
【０１２２】
また、情報処理装置（子局）２００の制御部２３０は、データリンク層で誤り訂正を行う際に用いる情報であって、データリンク層で誤り訂正を行うための冗長信号の符号化方式と、冗長信号の符号化率と、データリンク層での誤り訂正の対象となる対象フレームを特定するための対象フレーム情報とを含む付随情報（Ｌ２ＦＥＣ事前情報４３１）を、データを送信するためのフレームの前に付加して送信する制御を行う。
【０１２３】
［Ｌ２ＦＥＣ事前情報を受信した情報処理装置によるＡＣＫの返信例］
ここでは、情報処理装置（子局）２００が、Ｌ２ＦＥＣ事前情報フレーム、データフレームおよび冗長信号フレームを情報処理装置（親局）１００に送信する場合の例を示す。
【０１２４】
Ｌ２ＦＥＣ事前情報を受信した情報処理装置（親局）１００は、ＬＬＣ／ＳＮＡＰのタイプフィールドに基づいて、Ｌ２ＦＥＣ事前情報であることを把握することができる。また、情報処理装置（親局）１００は、そのＬ２ＦＥＣ事前情報に基づいて、Ｌ２ＦＥＣ事前情報の受信以降に受信するデータフレームのシーケンス番号を特定することができる。例えば、図８に示すＳｅｑｕｅｎｃｅ  Ｎｕｍｂｅｒ  ｏｆ  １ｓｔ  ＭＡＣ  Ｆｒａｍｅ５５１およびＮｕｍｂｅｒ  ｏｆ  ＭＡＣ  Ｆｒａｍｅｓ５５２に基づいて、データフレームのシーケンス番号を特定することができる。続いて、情報処理装置（親局）１００は、そのＬ２ＦＥＣ事前情報により特定されるシーケンス番号に対応するデータフレームの到着を待機する。
【０１２５】
そして、情報処理装置（親局）１００は、各データフレームを正しく受信できた場合には、データを上位層に渡すと判定する。この場合には、情報処理装置（親局）１００は、直ちにＡＣＫを返信することができる。または、情報処理装置（親局）１００は、各データフレームを正しく受信できた場合には、ブロックＡＣＫリクエストを受信したことを条件に、ＡＣＫを返信するようにしてもよい。
【０１２６】
また、情報処理装置（親局）１００は、データフレームを正しく受信できなかった場合には、受信した冗長信号を用いてデータの回復を試みる。そして、情報処理装置（親局）１００は、その冗長信号によりそのデータを回復することができた場合には、データを上位層に渡すと判定する。この場合には、情報処理装置（親局）１００は、ブロックＡＣＫリクエストを受信したことを条件に、ＡＣＫを返信することができる。
【０１２７】
なお、情報処理装置（親局）１００は、各データフレームを正しく受信できた場合には、これに続く冗長信号フレームの受信に失敗したときでも、データを上位層に渡すと判定し、ＡＣＫを返信するようにしてもよい。
【０１２８】
このように、情報処理装置（親局）１００の制御部１３０は、判定情報（冗長信号）に基づいて、データを上位層に渡すと判定した場合には、データを正しく受信できたことを通知するための確認応答（ＡＣＫ）を、データの送信元の機器に送信する制御を行う。
【０１２９】
また、情報処理装置（親局）１００の制御部１３０は、判定情報（冗長信号）に基づいて、データの消失訂正ができた場合には、データを正しく受信できたことを通知するための確認応答（ＡＣＫ）を、データの送信元の機器に送信する制御を行う。
【０１３０】
なお、図１３では、Ｌ２ＦＥＣ事前情報フレームおよび冗長信号フレームを異なるフレームとする例を示した。ただし、冗長信号フレームに、Ｌ２ＦＥＣ事前情報を含めるようにしてもよい。この例を図１９に示す。
【０１３１】
［各フレームのキューイング例］
図１４は、本技術の実施の形態における情報処理装置（子局）２００から送信される各フレームのキューイング方法の一例を模式的に示す図である。
【０１３２】
図１４では、ＥＤＣＡ（Enhanced Distributed Channel Access）方式によりパケットを送信する場合の例を示す。
【０１３３】
具体的には、ＥＤＣＡでは、送信対象となるパケットを４つのアクセスカテゴリ（ＡＣ）に分類して各送信キューに格納する（４５１、４５２）。続いて、各パケットの優先度に応じて各パケットを送信する。ここで、４つのＡＣは、ＡＣ＿ＶＯ（Voice）、ＡＣ＿ＶＩ（Video）、ＡＣ＿ＢＥ（Best Effort）、ＡＣ＿ＢＫ（Back Ground）である。また、図１４では、優先順位が高い順にＡＣを記載する。そして、優先度の高いトラフィックから順に、送信キューから送信される（４５３、４５４）。
【０１３４】
図１４に示すように、Ｌ２ＦＥＣ事前情報フレーム、上位レイヤからのデータフレームおよび冗長信号（ＥＣＣ）フレーム（パケット）のそれぞれについて、アクセスカテゴリへのマッピングが行われる（４５１）。続いて、各パケットが４つのアクセスカテゴリ（ＡＣ）に分類して各送信キューに格納される（４５２）。なお、各送信キューに格納されるＤａｔａの数は、符号化率の値Ｎに応じて異なる。
【０１３５】
続いて、ＣＳＭＡ／ＣＡ（Carrier Sense Multiple Access with Collision Avoidance）が行われ（４５３）、内部衝突の解決が行われる（４５４）。そして、無線チャネルでデータが送信される。
【０１３６】
このように、データフレームと、これに付随するＬ２ＦＥＣ事前情報フレームおよび冗長信号フレームとを、同じアクセスカテゴリのキューに入れる。これにより、Ｌ２ＦＥＣ事前情報フレーム、データフレームおよび冗長信号フレームの送出順序が入れ替わることを防止することができる。
【０１３７】
このように、情報処理装置（親局）１００の制御部１３０は、判定情報（冗長信号）および付随情報（Ｌ２ＦＥＣ事前情報）を、対象フレームと同じアクセスカテゴリのキューに入れて送信する制御を行う。この場合に、制御部１３０は、付随情報が含まれるフレーム（Ｌ２ＦＥＣ事前情報フレーム）、対象フレーム（データフレーム）、判定情報が含まれるフレーム（冗長信号フレーム）の順序で送信する制御を行う。
【０１３８】
［アグリゲーションフレームの構成例］
図１５は、本技術の実施の形態における各情報処理装置間でやりとりされるアグリゲーションフレームの構成例を示す図である。
【０１３９】
ここで、アグリゲーションは、複数のフレームを束ね、一つのフレームとして送信を行う技術である。また、アグリゲーションフレームは、複数のフレームが束ねられて一つのフレームとして送信されるフレームを意味する。言い換えると、複数のフレームが連結されて一つのフレームとして送信されるフレームを意味する。アグリゲーションフレームとして、例えば、Ａ−ＭＰＤＵ（Aggregation MAC Protocol Data Unit）、Ａ−ＭＳＤＵ（Aggregation MAC Service Data Unit））が存在する。
【０１４０】
図１５では、アグリゲーションフレームの一例として、Ａ−ＭＰＤＵを例にして説明する。
【０１４１】
図１５のｂには、フレームアグリゲーション（Ａ−ＭＰＤＵ）の構成例を示す。
【０１４２】
図１５のｂに示すように、ＩＥＥＥ８０２．１１では、Ａ−ＭＰＤＵという仕組みを用いて、ＭＡＣフレームを複数連結して送信することができる。また、エラー発生時には、ブロックＡＣＫという仕組みを用いて、エラーとなったフレームだけを再送信することができる。
【０１４３】
具体的には、Ａ−ＭＰＤＵは、ＰＬＣＰプリアンブル６２１と、ＰＬＣＰヘッダ６２２と、デリミタ（Delimiter）６２３乃至６２７と、ＭＡＣフレーム６２８乃至６３２とを含む。
【０１４４】
図１５のａには、フレームアグリゲーション（Ａ−ＭＰＤＵ）をＬ２ＦＥＣに応用する場合（符号化率：Ｍ／Ｎの場合）の構成例を示す。
【０１４５】
図１５のａに示すように、Ａ−ＭＰＤＵを用いることにより、Ｌ２ＦＥＣ事前情報フレーム、データフレーム、冗長信号フレームを連結して送信することができる。また、ブロックＡＣＫ要求は、全てのフレームを対象にして行うようにしてもよく、データフレームだけを対象にして行うようにしてもよい。何れの場合についても、データフレームを回復することができたときには、ＡＣＫを返信するようにしてもよい。
【０１４６】
具体的には、Ａ−ＭＰＤＵは、ＰＬＣＰプリアンブル６０１と、ＰＬＣＰヘッダ６０２と、デリミタ６０３乃至６０７と、Ｌ２ＦＥＣ事前情報（ＭＡＣフレーム）６０８と、ＭＡＣフレーム６０９乃至６１１と、冗長信号（ＭＡＣフレーム）６１２とを含む。
【０１４７】
すなわち、デリミタ６０３の直後に、Ｌ２ＦＥＣ事前情報（ＭＡＣフレーム）６０８が配置され、デリミタ６０７の直後に、冗長信号（ＭＡＣフレーム）６１２が配置される。
【０１４８】
［情報処理装置の動作例］
次に、各情報処理装置の動作例について説明する。図１６、図１７では、送信側の情報処理装置を情報処理装置（子局）２００とする場合の動作例を示す。また、図１８では、受信側の情報処理装置を情報処理装置（親局）１００とする場合の動作例を示す。
【０１４９】
［送信側の動作例（Ｌ２ＦＥＣ事前情報フレームおよび冗長信号フレームの生成例）］
図１６は、本技術の実施の形態における情報処理装置（子局）２００によるＬ２ＦＥＣ事前情報および冗長信号フレームの生成処理の処理手順の一例を示すフローチャートである。図１６では、生成されたＭＡＣフレームをＬ１フレーム（ＰＰＤＵ）生成部２４５に引き渡すまでの各処理について説明する。これらの各処理は、制御部２３０の制御に基づいて行われる。また、図１６では、符号化率をＭ／Ｎとする場合の例を示す。
【０１５０】
最初に、Ｌ２データフレーム生成部２４１は、送信対象となるデータ（データパケット）をＬ３以上の上位層から受信する（ステップＳ８０１）。続いて、Ｌ２データフレーム生成部２４１は、その受信したデータについて、ＭＡＣフレーム（Ｌ２フレーム）を生成する（ステップＳ８０２）。
【０１５１】
続いて、制御部１３０は、生成されたＭＡＣフレームがＬ２ＦＥＣ付加の対象であるか否かを判断する（ステップＳ８０３）。生成されたＭＡＣフレームがＬ２ＦＥＣ付加の対象でない場合には（ステップＳ８０３）、Ｌ２データフレーム生成部２４１は、生成されたＭＡＣフレームをＬ１フレーム（ＰＰＤＵ）生成部２４５に渡す（ステップＳ８１０）。
【０１５２】
また、生成されたＭＡＣフレームがＬ２ＦＥＣ付加の対象である場合には（ステップＳ８０３）、Ｌ２データフレーム生成部２４１は、生成されたＭＡＣフレームをＬ２データフレームバッファ２４２に保持させる（ステップＳ８０４）。
【０１５３】
続いて、制御部１３０は、Ｌ２データフレームバッファ２４２に未処理のＭＡＣフレームがＭ個格納されているか否かを判断する（ステップＳ８０５）。Ｌ２データフレームバッファ２４２に未処理のＭＡＣフレームがＭ個格納されていない場合には（ステップＳ８０５）、ステップＳ８０１に戻る。
【０１５４】
Ｌ２データフレームバッファ２４２に未処理のＭＡＣフレームがＭ個格納されている場合には（ステップＳ８０５）、Ｌ２符号化＆Ｌ２冗長信号フレーム生成部２４３は、Ｍ個のＭＡＣフレームについてパディングを行う（ステップＳ８０６）。すなわち、Ｌ２符号化＆Ｌ２冗長信号フレーム生成部２４３は、所定のシンボル長になるように、各ＭＡＣフレームをパディングする（ステップＳ８０６）。
【０１５５】
続いて、Ｌ２符号化＆Ｌ２冗長信号フレーム生成部２４３は、パディングされたＭＡＣフレームについて、冗長信号を算出し、この冗長信号を用いて冗長信号フレーム（ＭＡＣフレーム）を生成する（ステップＳ８０７）。
【０１５６】
続いて、Ｌ２ＦＥＣ事前情報テーブル生成＆Ｌ２ＦＥＣ事前情報フレーム生成部２４４は、Ｌ２ＦＥＣ事前情報テーブルを生成し、Ｌ２ＦＥＣ事前情報フレームを生成する（ステップＳ８０８）。
【０１５７】
続いて、生成されたＬ２ＦＥＣ事前情報フレームと、Ｍ個のデータフレーム（パディングなし）と、Ｎ−Ｍ個の冗長信号フレームとが順に、Ｌ１フレーム（ＰＰＤＵ）生成部２４５に引き渡される（ステップＳ８０９）。
【０１５８】
［フレーム送信処理およびブロックＡＣＫ要求処理例］
図１７は、本技術の実施の形態における情報処理装置（子局）２００によるフレーム送信処理およびブロックＡＣＫ要求処理の処理手順の一例を示すフローチャートである。図１７では、Ａ−ＭＰＤＵを用いたフレーム送信処理の一例を示す。また、これらの各処理は、制御部２３０の制御に基づいて行われる。
【０１５９】
最初に、Ｌ１フレーム（ＰＰＤＵ）生成部２４５は、Ｌ２データフレームバッファ２４２に保持されているＭＡＣフレームを受け付ける（ステップＳ８２１）。続いて、Ｌ１フレーム（ＰＰＤＵ）生成部２４５は、そのＭＡＣフレームがＬ２ＦＥＣ事前情報フレームであるか否かを判断する（ステップＳ８２２）。
【０１６０】
そのＭＡＣフレームがＬ２ＦＥＣ事前情報フレームである場合には（ステップＳ８２２）、そのＭＡＣフレームがＡ−ＭＰＤＵの先頭のフレームとなる。このため、Ｌ１フレーム（ＰＰＤＵ）生成部２４５は、そのＭＡＣフレームをバッファに保持させる（ステップＳ８２３）。そして、ステップＳ８２１に戻る。
【０１６１】
そのＭＡＣフレームがＬ２ＦＥＣ事前情報フレームでない場合には（ステップＳ８２２）、Ｌ１フレーム（ＰＰＤＵ）生成部２４５は、そのＭＡＣフレームがデータフレームであるか否かを判断する（ステップＳ８２４）。そして、そのＭＡＣフレームがデータフレームでない場合には（ステップＳ８２４）、ステップＳ８２６に進む。
【０１６２】
そのＭＡＣフレームがデータフレームである場合には（ステップＳ８２４）、Ｌ１フレーム（ＰＰＤＵ）生成部２４５は、そのＭＡＣフレームがＬ２ＦＥＣ対象であるか否かを判断する（ステップＳ８２５）。そのＭＡＣフレームがＬ２ＦＥＣ対象である場合には（ステップＳ８２５）、Ｌ１フレーム（ＰＰＤＵ）生成部２４５は、そのＭＡＣフレームをバッファに保持させる（ステップＳ８２３）。
【０１６３】
そのＭＡＣフレームがデータフレームでない場合（ステップＳ８２４）、または、Ｌ２ＦＥＣ対象でない場合には（ステップＳ８２５）、Ｌ１フレーム（ＰＰＤＵ）生成部２４５は、そのＭＡＣフレームが冗長信号フレームであるか否かを判断する（ステップＳ８２６）。そのＭＡＣフレームが冗長信号フレームでない場合には（ステップＳ８２６）、ステップＳ８２１に戻る。
【０１６４】
そのＭＡＣフレームが冗長信号フレームである場合には（ステップＳ８２６）、そのＭＡＣフレームがＡ−ＭＰＤＵの最後のフレームとなる。このため、Ｌ１フレーム（ＰＰＤＵ）生成部２４５は、そのＭＡＣフレームをバッファに保持させる（ステップＳ８２７）。
【０１６５】
続いて、Ｌ１フレーム（ＰＰＤＵ）生成部２４５は、バッファに格納されたＬ２ＦＥＣ事前情報フレーム、データフレーム、冗長信号フレームを順に連結してＡ-ＭＰＤＵとし、Ｌ１フレーム（ＰＰＤＵ）を生成する（ステップＳ８２８）。そして、Ｌ１フレーム（ＰＰＤＵ）生成部２４５は、そのＬ１フレーム（ＰＰＤＵ）をキューに入れ、バッファをクリアする（ステップＳ８２８）。
【０１６６】
続いて、制御部２３０は、キューに入れたＬ１フレーム（ＰＰＤＵ）が送信されたか否かを判断する（ステップＳ８２９）。そして、キューに入れたＬ１フレーム（ＰＰＤＵ）が送信されていない場合には（ステップＳ８２９）、監視を継続して行う。また、キューに入れたＬ１フレーム（ＰＰＤＵ）が送信された場合には（ステップＳ８２９）、制御部２３０は、ブロックＡＣＫ要求を送信するための制御を行う（ステップＳ８３０）。なお、図１６に示すステップＳ８０１乃至Ｓ８０９、図１７に示すステップＳ８２１乃至Ｓ８２９は、特許請求の範囲に記載の送信する制御手順の一例である。
【０１６７】
［受信側の動作例］
図１８は、本技術の実施の形態における情報処理装置（親局）１００による受信処理の処理手順の一例を示すフローチャートである。これらの各処理は、制御部１３０の制御に基づいて行われる。
【０１６８】
最初に、制御部１３０は、フレームを受信したか否かを判断する（ステップＳ８４１）。フレームを受信していない場合には（ステップＳ８４１）、監視を継続して行う。
【０１６９】
フレームを受信した場合には（ステップＳ８４１）、各フレームについて受信処理が行われ、各受信処理が行われたフレームがＬ２データフレームバッファ１４９に保持される。そして、制御部１３０は、受信したフレームにＬ２ＦＥＣ事前情報が含まれるか否かを判断する（ステップＳ８４２）。受信したフレームにＬ２ＦＥＣ事前情報が含まれない場合には（ステップＳ８４２）、通常の受信処理が行われる（ステップＳ８４９）。ここでは、通常の受信処理についての詳細な説明を省略する。
【０１７０】
受信したフレームにＬ２ＦＥＣ事前情報が含まれる場合には（ステップＳ８４２）、制御部１３０は、そのＬ２ＦＥＣ事前情報により特定されるシーケンス番号に対応するデータフレームの到着を待機する（ステップＳ８４３）。
【０１７１】
続いて、制御部１３０は、そのＬ２ＦＥＣ事前情報により特定されるシーケンス番号に対応する各データフレームを正しく受信できたか否かを判断する（ステップＳ８４４）。各データフレームを正しく受信できた場合には（ステップＳ８４４）、制御部１３０は、各データフレームのデータをデータリンク層の上位層に渡すと判定する。そして、制御部１３０は、ブロックＡＣＫ要求を受信したか否かを判断する（ステップＳ８４７）。ブロックＡＣＫ要求を受信していない場合には（ステップＳ８４７）、監視を継続して行う。
【０１７２】
ブロックＡＣＫ要求を受信した場合には（ステップＳ８４７）、制御部１３０は、正しく受信できたフレームを送信した情報処理装置にＡＣＫを送信する（ステップＳ８４８）。
【０１７３】
また、各データフレームを正しく受信できなかった場合には（ステップＳ８４４）、制御部１３０は、受信した冗長信号を用いてデータの回復を試みる（ステップＳ８４５）。そして、制御部１３０は、その冗長信号によりそのデータを回復することができたか否かを判断する（ステップＳ８４６）。
【０１７４】
その冗長信号によりそのデータを回復することができた場合には（ステップＳ８４６）、制御部１３０は、その回復したデータをデータリンク層の上位層に渡すと判定し、ステップＳ８４７に進む。その冗長信号によりそのデータを回復することができなかった場合には（ステップＳ８４６）、制御部１３０は、そのデータをデータリンク層の上位層に渡さないと判定する。この場合には、ＡＣＫを送信せずに、受信処理の動作を終了する。なお、ステップＳ８４１乃至Ｓ８４６は、特許請求の範囲に記載の判定する制御手順の一例である。
【０１７５】
［Ｌ２ＦＥＣ事前情報および冗長信号を１つのフレームに格納する例］
以上では、Ｌ２ＦＥＣ事前情報フレームおよび冗長信号フレームを異なるフレームとする例を示した。ただし、冗長信号フレームに、Ｌ２ＦＥＣ事前情報を含めるようにしてもよい。そこで、図１９では、Ｌ２ＦＥＣ事前情報および冗長信号を１つのフレームに格納する例を示す。
【０１７６】
図１９は、本技術の実施の形態における各情報処理装置間でやりとりされるフレームの構成例を示す図である。
【０１７７】
図１９に示すフレームは、図６のｂに示すＰＳＤＵ（ＭＡＣフレーム）に対応する。すなわち、図６のｂに示すＰＳＤＵ（ＭＡＣフレーム）におけるＬＬＣ／ＳＮＡＰ５３０のｔｙｐｅを、新たに定義された値とする場合の例を示す。新たに定義された値は、Ｌ２ＦＥＣ事前情報および冗長信号を１つのフレームに含むことを意味する値とする。
【０１７８】
また、図１９に示すＬ２  ＦＥＣ  Ｐｒｅ  Ｉｎｆｏ  Ｔａｂｌｅ５８３、Ｒｅｄｕｎｄａｎｃｙ  Ｃｏｄｅ  ＩＤ５８４、Ｒｅｄｕｎｄａｎｃｙ  Ｃｏｄｅ５８５は、図６のｂに示すデータ５１１に対応する。すなわち、Ｌ２  ＦＥＣ  Ｐｒｅ  Ｉｎｆｏ  Ｔａｂｌｅ５８３により、Ｌ２ＦＥＣ事前情報フレームテーブル（図８の下段に示す）が構成される。また、Ｒｅｄｕｎｄａｎｃｙ  Ｃｏｄｅ５８５により、冗長信号が構成される。
【０１７９】
Ｒｅｄｕｎｄａｎｃｙ  Ｃｏｄｅ  ＩＤ５８４は、対象となるデータフレームが全て回復できたときに、そのデータフレームの送信元に、ＡＣＫの代わりに送信するＩＤである。Ｒｅｄｕｎｄａｎｃｙ  Ｃｏｄｅ  ＩＤ５８４を送信することにより、ブロックＡＣＫ要求およびブロックＡＣＫ送信のシーケンスを省略することができる。
【０１８０】
ここで、図１９に示すフレームは、ＭＡＣフレームの先頭または最後に付加することができる。ただし、受信側の情報処理装置が、Ｌ２ＦＥＣ事前情報を最初に取得することができるように、図１９に示すフレームを、ＭＡＣフレームの先頭に付加することが好ましい。
【０１８１】
このように、Ｌ２ＦＥＣ事前情報および冗長信号を１つのフレームに格納することにより、Ｌ２ＦＥＣ事前情報フレームの付加を省略することができる。
【０１８２】
このように、本技術の実施の形態では、例えば、ＬＬＣ／ＳＮＡＰの識別子を用いることにより、後方互換性を保ちながら、後続のデータが通常のデータではなく、前方誤り訂正の冗長信号であることを受信側の機器に通知することができる。これにより、冗長信号をＬ３以上に上げることなく、Ｌ２で誤り訂正を行うことが可能になり、Ｌ２での再送を回避することができる。
【０１８３】
このように、本技術の実施の形態によれば、無線ＬＡＮシステムにおいて、Ｌ２で誤り訂正を行うことが可能になり、余計なＬ２再送を回避することができる。これにより、信号処理のオーバーヘッドが増加することを防止することができる。また、ＩＥＥＥ８０２．１１フレームを用いることができるため、互換性を担保することができる。
【０１８４】
また、本技術の実施の形態によれば、Ｌ２で誤り訂正を行う場合に用いる情報として、Ｌ２ＦＥＣを用いることができる。また、Ｌ２で誤り訂正を行うためのＬ２ＦＥＣのｃｏｄｉｎｇ方式およびｆｏｒｍａｔ等を適切に設定することができる。
【０１８５】
このように、本技術の実施の形態によれば、無線ＬＡＮシステムにおけるＬ２ＦＥＣ冗長信号送信方法を実現することができる。
【０１８６】
なお、本技術の実施の形態は、マルチキャスト送信の場合にも適用することができる。また、例えば、データをマルチキャストで送信し、冗長信号をユニキャストで送信する場合についても、本技術の実施の形態を適用することができる。
【０１８７】
また、本技術の実施の形態における情報処理装置（親局）１００、情報処理装置（子局）２００、２０１は、各分野において使用される機器に適用することができる。例えば、自動車内で使用される無線機器（例えば、カーナビゲーション装置、スマートフォン）に適用することができる。また、例えば、車車間通信や路車間通信（Ｖ２Ｘ（vehicle to X））に適用することができる。また、例えば、教育分野で使用される学習機器（例えば、タブレット端末）に適用可能である。また、例えば、農業分野で使用される無線機器（例えば、野菜栽培管理システムの端末、牛管理システムの端末）に適用可能である。同様に、例えば、スポーツ分野や医療分野等で使用される各無線機器に適用可能である。
【０１８８】
＜２．応用例＞
本開示に係る技術は、様々な製品へ応用可能である。例えば、情報処理装置（親局）１００、情報処理装置（子局）２００、２０１は、スマートフォン、タブレットＰＣ（Personal  Computer）、ノートＰＣ、携帯型ゲーム端末若しくはデジタルカメラなどのモバイル端末、テレビジョン受像機、プリンタ、デジタルスキャナ若しくはネットワークストレージなどの固定端末、又はカーナビゲーション装置などの車載端末として実現されてもよい。また、情報処理装置（親局）１００、情報処理装置（子局）２００、２０１は、スマートメータ、自動販売機、遠隔監視装置又はＰＯＳ（Point  Of  Sale）端末などの、Ｍ２Ｍ（Machine  To  Machine）通信を行う端末（ＭＴＣ（Machine  Type  Communication）端末ともいう）として実現されてもよい。さらに、情報処理装置（親局）１００、情報処理装置（子局）２００、２０１は、これら端末に搭載される無線通信モジュール（例えば、１つのダイで構成される集積回路モジュール）であってもよい。
【０１８９】
一方、例えば、情報処理装置（親局）１００は、ルータ機能を有し又はルータ機能を有しない無線ＬＡＮアクセスポイント（無線基地局ともいう）として実現されてもよい。また、情報処理装置（親局）１００は、モバイル無線ＬＡＮルータとして実現されてもよい。さらに、情報処理装置（親局）１００は、これら装置に搭載される無線通信モジュール（例えば、１つのダイで構成される集積回路モジュール）であってもよい。
【０１９０】
［２−１．第１の応用例］
図２０は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３、アンテナスイッチ９１４、アンテナ９１５、バス９１７、バッテリー９１８及び補助コントローラ９１９を備える。
【０１９１】
プロセッサ９０１は、例えばＣＰＵ（Central  Processing  Unit）又はＳｏＣ（System  on  Chip）であってよく、スマートフォン９００のアプリケーションレイヤ及びその他のレイヤの機能を制御する。メモリ９０２は、ＲＡＭ（Random  Access  Memory）及びＲＯＭ（Read  Only  Memory）を含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１９２】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１９３】
無線通信インタフェース９１３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９１３は、インフラストラクチャーモードにおいては、他の装置と無線ＬＡＮアクセスポイントを介して通信し得る。また、無線通信インタフェース９１３は、アドホックモード又はＷｉ−Ｆｉ Ｄｉｒｅｃｔ等のダイレクト通信モードにおいては、他の装置と直接的に通信し得る。なお、Ｗｉ−Ｆｉ  Ｄｉｒｅｃｔでは、アドホックモードとは異なり２つの端末の一方がアクセスポイントとして動作するが、通信はそれら端末間で直接的に行われる。無線通信インタフェース９１３は、典型的には、ベースバンドプロセッサ、ＲＦ（Radio  Frequency）回路及びパワーアンプなどを含み得る。無線通信インタフェース９１３は、通信制御プログラムを記憶するメモリ、当該プログラムを実行するプロセッサ及び関連する回路を集積したワンチップのモジュールであってもよい。無線通信インタフェース９１３は、無線ＬＡＮ方式に加えて、近距離無線通信方式、近接無線通信方式又はセルラ通信方式などの他の種類の無線通信方式をサポートしてもよい。アンテナスイッチ９１４は、無線通信インタフェース９１３に含まれる複数の回路（例えば、異なる無線通信方式のための回路）の間でアンテナ９１５の接続先を切り替える。アンテナ９１５は、単一の又は複数のアンテナ素子（例えば、ＭＩＭＯアンテナを構成する複数のアンテナ素子）を有し、無線通信インタフェース９１３による無線信号の送信及び受信のために使用される。
【０１９４】
なお、図２０の例に限定されず、スマートフォン９００は、複数のアンテナ（例えば、無線ＬＡＮ用のアンテナ及び近接無線通信方式用のアンテナ、など）を備えてもよい。その場合に、アンテナスイッチ９１４は、スマートフォン９００の構成から省略されてもよい。
【０１９５】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３及び補助コントローラ９１９を互いに接続する。バッテリー９１８は、図中に破線で部分的に示した給電ラインを介して、図２０に示したスマートフォン９００の各ブロックへ電力を供給する。補助コントローラ９１９は、例えば、スリープモードにおいて、スマートフォン９００の必要最低限の機能を動作させる。
【０１９６】
図２０に示したスマートフォン９００において、図２を用いて説明した無線通信部１１０および制御部１３０、図３を用いて説明した無線通信部２１０および制御部２３０は、無線通信インタフェース９１３において実装されてもよい。また、これら機能の少なくとも一部は、プロセッサ９０１又は補助コントローラ９１９において実装されてもよい。
【０１９７】
なお、スマートフォン９００は、プロセッサ９０１がアプリケーションレベルでアクセスポイント機能を実行することにより、無線アクセスポイント（ソフトウェアＡＰ）として動作してもよい。また、無線通信インタフェース９１３が無線アクセスポイント機能を有していてもよい。
【０１９８】
［２−２．第２の応用例］
図２１は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、アンテナスイッチ９３４、アンテナ９３５及びバッテリー９３８を備える。
【０１９９】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２００】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２０１】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２０２】
無線通信インタフェース９３３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９３３は、インフラストラクチャーモードにおいては、他の装置と無線ＬＡＮアクセスポイントを介して通信し得る。また、無線通信インタフェース９３３は、アドホックモード又はＷｉ−Ｆｉ Ｄｉｒｅｃｔ等のダイレクト通信モードにおいては、他の装置と直接的に通信し得る。無線通信インタフェース９３３は、典型的には、ベースバンドプロセッサ、ＲＦ回路及びパワーアンプなどを含み得る。無線通信インタフェース９３３は、通信制御プログラムを記憶するメモリ、当該プログラムを実行するプロセッサ及び関連する回路を集積したワンチップのモジュールであってもよい。無線通信インタフェース９３３は、無線ＬＡＮ方式に加えて、近距離無線通信方式、近接無線通信方式又はセルラ通信方式などの他の種類の無線通信方式をサポートしてもよい。アンテナスイッチ９３４は、無線通信インタフェース９３３に含まれる複数の回路の間でアンテナ９３５の接続先を切り替える。アンテナ９３５は、単一の又は複数のアンテナ素子を有し、無線通信インタフェース９３３による無線信号の送信及び受信のために使用される。
【０２０３】
なお、図２１の例に限定されず、カーナビゲーション装置９２０は、複数のアンテナを備えてもよい。その場合に、アンテナスイッチ９３４は、カーナビゲーション装置９２０の構成から省略されてもよい。
【０２０４】
バッテリー９３８は、図中に破線で部分的に示した給電ラインを介して、図２１に示したカーナビゲーション装置９２０の各ブロックへ電力を供給する。また、バッテリー９３８は、車両側から給電される電力を蓄積する。
【０２０５】
図２１に示したカーナビゲーション装置９２０において、図２を用いて説明した無線通信部１１０および制御部１３０、図３を用いて説明した無線通信部２１０および制御部２３０は、無線通信インタフェース９３３において実装されてもよい。また、これら機能の少なくとも一部は、プロセッサ９２１において実装されてもよい。
【０２０６】
また、無線通信インタフェース９３３は、上述した情報処理装置（親局）１００として動作し、車両に乗るユーザが有する端末に無線接続を提供してもよい。
【０２０７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２０８】
［２−３．第３の応用例］
図２２は、本開示に係る技術が適用され得る無線アクセスポイント９５０の概略的な構成の一例を示すブロック図である。無線アクセスポイント９５０は、コントローラ９５１、メモリ９５２、入力デバイス９５４、表示デバイス９５５、ネットワークインタフェース９５７、無線通信インタフェース９６３、アンテナスイッチ９６４及びアンテナ９６５を備える。
【０２０９】
コントローラ９５１は、例えばＣＰＵ又はＤＳＰ（Digital  Signal  Processor）であってよく、無線アクセスポイント９５０のＩＰ（Internet  Protocol）レイヤ及びより上位のレイヤの様々な機能（例えば、アクセス制限、ルーティング、暗号化、ファイアウォール及びログ管理など）を動作させる。メモリ９５２は、ＲＡＭ及びＲＯＭを含み、コントローラ９５１により実行されるプログラム、及び様々な制御データ（例えば、端末リスト、ルーティングテーブル、暗号鍵、セキュリティ設定及びログなど）を記憶する。
【０２１０】
入力デバイス９５４は、例えば、ボタン又はスイッチなどを含み、ユーザからの操作を受け付ける。表示デバイス９５５は、ＬＥＤランプなどを含み、無線アクセスポイント９５０の動作ステータスを表示する。
【０２１１】
ネットワークインタフェース９５７は、無線アクセスポイント９５０が有線通信ネットワーク９５８に接続するための有線通信インタフェースである。ネットワークインタフェース９５７は、複数の接続端子を有してもよい。有線通信ネットワーク９５８は、イーサネット（登録商標）などのＬＡＮであってもよく、又はＷＡＮ（Wide  Area  Network）であってもよい。
【０２１２】
無線通信インタフェース９６３は、ＩＥＥＥ８０２．１１ａ、１１ｂ、１１ｇ、１１ｎ、１１ａｃ及び１１ａｄなどの無線ＬＡＮ標準のうちの１つ以上をサポートし、近傍の端末へアクセスポイントとして無線接続を提供する。無線通信インタフェース９６３は、典型的には、ベースバンドプロセッサ、ＲＦ回路及びパワーアンプなどを含み得る。無線通信インタフェース９６３は、通信制御プログラムを記憶するメモリ、当該プログラムを実行するプロセッサ及び関連する回路を集積したワンチップのモジュールであってもよい。アンテナスイッチ９６４は、無線通信インタフェース９６３に含まれる複数の回路の間でアンテナ９６５の接続先を切り替える。アンテナ９６５は、単一の又は複数のアンテナ素子を有し、無線通信インタフェース９６３による無線信号の送信及び受信のために使用される。
【０２１３】
図２２に示した無線アクセスポイント９５０において、図２を用いて説明した無線通信部１１０および制御部１３０は、無線通信インタフェース９６３において実装されてもよい。また、これら機能の少なくとも一部は、コントローラ９５１において実装されてもよい。
【０２１４】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２１５】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０２１６】
なお、本明細書に記載された効果はあくまで例示であって、限定されるものではなく、また、他の効果があってもよい。
【０２１７】
なお、本技術は以下のような構成もとることができる。
（１）
無線通信を利用してデータを送信する場合に、前記データの送信先の機器が前記データをデータリンク層の上位層に渡すか否かを前記データリンク層で判定するための判定情報を前記データに含めて送信する制御を行う制御部を具備する情報処理装置。
（２）
前記制御部は、ＬＬＣ／ＳＮＡＰに所定値を指定したフレームに前記判定情報を含めて送信する制御を行う前記（１）に記載の情報処理装置。
（３）
前記制御部は、前記データが含まれるフレームがＭＡＣフレーム単位で符号化されたデータフレームに、前記データリンク層で誤り訂正を行うための冗長信号を前記判定情報として含めたフレームを付加して送信する制御を行う前記（１）または（２）に記載の情報処理装置。
（４）
前記制御部は、前記冗長信号が含まれることを示す値をＬＬＣ／ＳＮＡＰで指定したフレームに前記冗長信号を含めて送信する制御を行う前記（３）に記載の情報処理装置。
（５）
前記制御部は、前記冗長信号をアクションフレームに含めて送信する制御を行う前記（３）または（４）に記載の情報処理装置。
（６）
前記制御部は、前記データリンク層で誤り訂正を行う際に用いる情報であって、前記データリンク層で誤り訂正を行うための冗長信号の符号化方式と前記冗長信号の符号化率と前記データリンク層での誤り訂正の対象となる対象フレームを特定するための対象フレーム情報とを含む付随情報を、前記データを送信するためのフレームの前に付加して送信する制御を行う前記（１）から（５）のいずれかに記載の情報処理装置。
（７）
前記制御部は、前記判定情報および前記付随情報を、前記対象フレームと同じアクセスカテゴリのキューに入れて送信する制御を行う前記（６）に記載の情報処理装置。
（８）
前記制御部は、前記付随情報が含まれるフレーム、前記対象フレーム、前記判定情報が含まれるフレームの順序で送信する制御を行う前記（６）または（７）に記載の情報処理装置。
（９）
前記制御部は、ＩＥＥＥ８０２．１１規格に従って前記送信先の機器との間で無線通信を行うための制御を行う前記（１）から（８）のいずれかに記載の情報処理装置。
（１０）
無線通信を利用してデータを受信した場合に、前記データに含まれる情報であってデータリンク層で把握することができる判定情報に基づいて、前記データを前記データリンク層の上位層に渡すか否かを判定する制御を行う制御部を具備する情報処理装置。
（１１）
前記制御部は、受信したフレームにおけるＬＬＣ／ＳＮＡＰで指定されている値に基づいて前記判定情報を取得する前記（１０）に記載の情報処理装置。
（１２）
前記制御部は、前記判定情報に基づいて、前記データを前記上位層に渡すと判定した場合には、前記データを正しく受信できたことを通知するための確認応答を、前記データを送信した送信元の機器に送信する制御を行う前記（１０）または（１１）に記載の情報処理装置。
（１３）
前記制御部は、前記判定情報に基づいて、前記データの消失訂正ができた場合には、前記データを正しく受信できたことを通知するための確認応答を、前記データを送信した送信元の機器に送信する制御を行う前記（１０）から（１２）のいずれかに記載の情報処理装置。
（１４）
無線通信を利用してデータを送信する場合に、前記データの送信先の機器が前記データをデータリンク層の上位層に渡すか否かを前記データリンク層で判定するための判定情報を前記データに含めて送信する制御手順を具備する情報処理方法。
（１５）
無線通信を利用してデータを受信した場合に、前記データに含まれる情報であってデータリンク層で把握することができる判定情報に基づいて、前記データを前記データリンク層の上位層に渡すか否かを判定する制御手順を具備する情報処理方法。
（１６）
無線通信を利用してデータを送信する場合に、前記データの送信先の機器が前記データをデータリンク層の上位層に渡すか否かを前記データリンク層で判定するための判定情報を前記データに含めて送信する制御手順をコンピュータに実行させるプログラム。
（１７）
無線通信を利用してデータを受信した場合に、前記データに含まれる情報であってデータリンク層で把握することができる判定情報に基づいて、前記データを前記データリンク層の上位層に渡すか否かを判定する制御手順をコンピュータに実行させるプログラム。
【符号の説明】
【０２１８】
１０  通信システム
１００  情報処理装置（親局）
１１０  無線通信部
１２０  記憶部
１３０  制御部
１４１  アンテナ
１４２  ＲＦ受信機ＡＤ変換部
１４３  ガードインターバル除去部
１４４  ＯＦＤＭ復調部（ＦＦＴ）
１４５  デマッピング部
１４６  デインターリーブ部
１４７  Ｌ１復号化部
１４８  Ｌ１フレーム（ＰＰＤＵ）分解部
１４９  Ｌ２データフレームバッファ
１５０  Ｌ２ＦＥＣ事前情報フレーム分解部
１５１  Ｌ２ＦＥＣフレーム分解＆Ｌ２復号化部
１５２  Ｌ２データフレーム分解部
２００、２０１  情報処理装置（子局）
２１０  無線通信部
２２０  記憶部
２３０  制御部
２４１  Ｌ２データフレーム生成部
２４２  Ｌ２データフレームバッファ
２４３  Ｌ２符号化＆Ｌ２冗長信号フレーム生成部
２４４  Ｌ２ＦＥＣ事前情報テーブル生成＆Ｌ２ＦＥＣ事前情報フレーム生成部
２４５  Ｌ１フレーム（ＰＰＤＵ）生成部
２４６  Ｌ１符号化部
２４７  インターリーブ部
２４８  マッピング部
２４９  ＯＦＤＭ変調部（ＩＦＦＴ）
２５０  ガードインターバル挿入部
２５１  ＤＡ変換ＲＦ送信機
２５２  アンテナ
９００  スマートフォン
９０１  プロセッサ
９０２  メモリ
９０３  ストレージ
９０４  外部接続インタフェース
９０６  カメラ
９０７  センサ
９０８  マイクロフォン
９０９  入力デバイス
９１０  表示デバイス
９１１  スピーカ
９１３  無線通信インタフェース
９１４  アンテナスイッチ
９１５  アンテナ
９１７  バス
９１８  バッテリー
９１９  補助コントローラ
９２０  カーナビゲーション装置
９２１  プロセッサ
９２２  メモリ
９２４  ＧＰＳモジュール
９２５  センサ
９２６  データインタフェース
９２７  コンテンツプレーヤ
９２８  記憶媒体インタフェース
９２９  入力デバイス
９３０  表示デバイス
９３１  スピーカ
９３３  無線通信インタフェース
９３４  アンテナスイッチ
９３５  アンテナ
９３８  バッテリー
９４１  車載ネットワーク
９４２  車両側モジュール
９５０  無線アクセスポイント
９５１  コントローラ
９５２  メモリ
９５４  入力デバイス
９５５  表示デバイス
９５７  ネットワークインタフェース
９５８  有線通信ネットワーク
９６３  無線通信インタフェース
９６４  アンテナスイッチ
９６５  アンテナ
【図１】
2017038261.tif 000003
【図２】
2017038261.tif 000004
【図３】
2017038261.tif 000005
【図４】
2017038261.tif 000006
【図５】
2017038261.tif 000007
【図６】
2017038261.tif 000008
【図７】
2017038261.tif 000009
【図８】
2017038261.tif 000010
【図９】
2017038261.tif 000011
【図１０】
2017038261.tif 000012
【図１１】
2017038261.tif 000013
【図１２】
2017038261.tif 000014
【図１３】
2017038261.tif 000015
【図１４】
2017038261.tif 000016
【図１５】
2017038261.tif 000017
【図１６】
2017038261.tif 000018
【図１７】
2017038261.tif 000019
【図１８】
2017038261.tif 000020
【図１９】
2017038261.tif 000021
【図２０】
2017038261.tif 000022
【図２１】
2017038261.tif 000023
【図２２】
2017038261.tif 000024